(57)【要約】【課題】  貨物自動車の車種ごとの運転室や荷台のサイズに応じた製造が容易であるとともに、クレーンやフォークリフトなどを使用することなく貨物自動車への躯体の積み降ろしを可能とする貨物自動車の荷台に搭載可能な車載用ハウスを提供する。【解決手段】  本発明の車載用ハウス１００は、複数のアーチ状の骨組３０と、内壁４０と、外壁５０と、床板６０と、扉７０と、を有する躯体１０およびジャッキ２０からなり、前記骨組１０は、１本のインナー部材３１を２本のアウター部材３４，３４により挟持して締結部材３７により締結した骨組ユニットを１単位とし、複数の前記骨組ユニットを連結し、それぞれ所定の角度で前記締結部材３７により締結することでアーチ状に構成した。【選択図】図１
2019182172.tif 000002
【特許請求の範囲】
【請求項１】
内側に居住可能な空間を形成した、貨物自動車の荷台に積み降ろし可能に搭載される車載用ハウスであって、
複数のアーチ状の骨組と、前記骨組の外側に取り付けられた内壁と、前記内壁の外側に取り付けられた外壁と、前記骨組の下部において前記骨組に取り付けられた床板と、前記外壁の一部に取り付けられ内側と外側を出入り可能とする扉と、を有する躯体および前記躯体を昇降させるジャッキからなり、
前記骨組は、平板状のインナー部材と、平板状のアウター部材と、締結部材とを有し、
前記インナー部材および前記アウター部材は、それぞれ少なくとも一方の端部において厚み方向に貫通孔が形成されており、
１本の前記インナー部材の一方の端部を、２本の互いに同一の長さの前記アウター部材で挟持し、挟持された１本の前記インナー部材および挟持した２本の前記アウター部材にそれぞれ形成された前記貫通孔を連通させた状態で前記締結部材により締結した骨組ユニットを１単位とし、
複数の前記骨組ユニットを連結し、それぞれ所定の角度で前記締結部材により締結することで前記骨組がアーチ状に構成されていることを特徴とする車載用ハウス。
【請求項２】
前記ジャッキは、ジャッキ本体と、前記ジャッキ本体に脱着自在な固定金具と、上方に向けて突設された係合突起と、前記固定金具および前記係合突起を取り付けた係合部材本体とからなり、
前記躯体の外壁に前記係合突起を下方から挿入可能な下方を開口したソケットが複数設けられていることを特徴とする請求項１記載の車載用ハウス。
【請求項３】
前記躯体の外壁に取り付け金具が複数設けられており、前記取り付け金具を前記貨物自動車に係止することで前記貨物自動車からの前記躯体の脱落を防止したことを特徴とする請求項１または２記載の車載用ハウス。
【発明の詳細な説明】
【技術分野】
【０００１】
本発明は、内側に居住可能な空間を形成した、貨物自動車の荷台に積み降ろし可能に搭載される車載用ハウスに関する。
【背景技術】
【０００２】
従来より、車両の運転席の後方に居住可能な空間を形成したキャンピングカーは広く知られており、必要な資材や食材などを事前に搭載してキャンプ場などの所望の地点まで自走して移動し、簡易かつ安全に宿泊することが可能であるため、キャンプ愛好家を中心に根強い人気がある。
【０００３】
また、万一の災害発生時にも前述のキャンピングカーのように安全な居住空間を確保できれば、被災者にとって非常に有用な避難場所として活用することもできる。
【０００４】
しかしながら、車両一体型のキャンピングカーは専用の設計で製造されるものであることや需要が限定的であることから比較的高額な商品であり、日本の道路事情では乗用車としての日常使用の使い勝手が良いとは言い難く、身近なものではなかった。
【０００５】
これに対し、例えば実登第３１５６０３４号公報（特許文献１）に示すように、車両と躯体（キャビン）を別体として構成し、例えば軽トラックのような平坦な荷台を有する貨物自動車である車両に躯体を積み降ろし可能に搭載してなるキャンピングカーが知られている。
【０００６】
このような車両と躯体を別体として構成したキャンピングカーは、躯体が必要となるキャンプなどの用途においてはクレーンやフォークリフトなどを用いて躯体を持ち上げて車両に搭載したキャンピングカーとして運用し、荷物の運搬機能が必要となる日常の運搬業務などの用途においてはクレーンやフォークリフトなどを用いて車両から躯体を降ろして貨物自動車として運用可能であるため、汎用性が高いのみならず、車両は既存の貨物自動車を利用することができるため費用も抑えることができる利点がある。
【０００７】
また、例えば実開昭４９−０３６６１１号公報（特許文献２）のように、ジャッキを用いて躯体の昇降を行うものとすれば、特許文献１に記載のキャンピングカーのように、クレーンやフォークリフトなどを用いて車両への躯体の積み降ろしを行う必要がないため、個人のユーザーであっても容易に躯体の積み降ろしが可能となる利点がある。
【０００８】
しかしながら、貨物自動車の荷台のサイズは車種によって異なり、またユーザーが希望する高さが異なる場合もあることから、各々専用の躯体を製造する必要があり、快適な居住性を有する躯体のサイズ違いの躯体の製造は容易でないことから、費用の高騰や納期の長期化を招き、あるいは簡単な製造のためには居住性を犠牲にせざるを得ないといった問題があった。
【０００９】
また、特に短期間で頻繁に躯体の積み降ろしが必要となるような状況においては、強固に固定されたジャッキの脱着は手間のかかる煩雑な作業であった。
【先行技術文献】
【特許文献】
【００１０】
【特許文献１】実登第３１５６０３４号公報
【特許文献２】実開昭４９−０３６６１１号公報
【発明の概要】
【発明が解決しようとする課題】
【００１１】
本発明は、貨物自動車の車種ごとの荷台のサイズに応じた製造が容易であるとともに居住性も良く、またクレーンやフォークリフトなどを使用することなく容易に貨物自動車への躯体の積み降ろしを可能とする貨物自動車の荷台に搭載可能な車載用ハウスを提供することを課題とする。
【課題を解決するための手段】
【００１２】
前記課題を解決するためになされた本発明である車載用ハウスは、内側に居住可能な空間を形成した、貨物自動車の荷台に搭載可能な車載用ハウスであって、複数のアーチ状の骨組と、前記骨組の外側に取り付けられた内壁と、前記内壁の外側に取り付けられた外壁と、前記骨組の下部において前記骨組に取り付けられた床板と、前記外壁の一部に取り付けられ内側と外側を出入り可能とする扉と、を有する躯体および前記躯体を昇降させるジャッキからなり、前記骨組は、平板状のインナー部材と、平板状のアウター部材と、締結部材とを有し、前記インナー部材および前記アウター部材は、それぞれ少なくとも一方の端部において厚み方向に貫通孔が形成されており、１本の前記インナー部材の一方の端部を、２本の互いに同一の長さの前記アウター部材で挟持し、挟持された１本の前記インナー部材および挟持した２本の前記アウター部材にそれぞれ形成された前記貫通孔を連通させた状態で前記締結部材により締結した骨組ユニットを１単位とし、複数の前記骨組ユニットを連結し、それぞれ所定の角度で前記締結部材により締結することで前記骨組がアーチ状に構成されていることを特徴とする。
【００１３】
また、前記ジャッキは、ジャッキ本体と、前記ジャッキ本体に脱着自在な固定金具と、上方に向けて突設された係合突起と、前記固定金具および前記係合突起を取り付けた係合部材本体とからなり、前記躯体の外壁に前記係合突起を下方から挿入可能な下方を開口したソケットが複数設けられている場合、前記躯体への前記ジャッキの着脱を確実かつ容易に行うことができる。
【００１４】
更に、前記躯体の外壁に取り付け金具が複数設けられており、前記取り付け金具を前記貨物自動車に係止することで前記貨物自動車からの脱落を防止することができる。
【発明の効果】
【００１５】
本発明によれば、骨組を平板状のインナー部材およびアウター部材を締結部材により組み立ててなるアーチ状の構造としたことで、骨組の本数や設置位置，湾曲の角度，インナー部材・アウター部材の長さ，あるいは骨組ユニットの数を調整するだけで搭載する貨物自動車の荷台のサイズや希望の高さなどに応じた骨組を容易に製造できることで、サイズ違いの躯体の製造が飛躍的に容易となる。
【００１６】
また、内壁および外壁が骨組の外側にある構成としたことで、内部空間を有効に利用できる。
【００１７】
更に、予め躯体の外壁に複数設けたソケットにより躯体の外側からジャッキを確実かつ容易に着脱可能としたことで、簡易な構造で貨物自動車の荷台への躯体の積み降ろしを可能としており、頻繁な躯体の積み降ろしが必要である場合の手間を削減でき、また、例えば災害発生時において、１台の貨物自動車で多数の躯体を運搬し公共の広場などに仮設住宅として設置することも容易となる。
【図面の簡単な説明】
【００１８】
【図１】本発明の好ましい実施の形態を示す側面図。
【図２】図１に示した実施の形態を示す斜視図。
【図３】図１に示した実施の形態における躯体の一部を省略した断面図。
【図４】図３の部分拡大図。
【図５】図１に示した実施の形態における骨組の構造を示す説明図。
【図６】図１に示した実施の形態における係合部材を示す説明図。
【図７】図１に示した実施の形態におけるソケットへのジャッキの装着手順を示す説明図。
【図８】図１に示した実施の形態における躯体の貨物自動車への積み降ろし時の状態を示す説明図。
【発明を実施するための形態】
【００１９】
以下に、図面を参照しながら本発明を実施するための形態を説明する。尚、本明細書において「前方」は車載用ハウスを１００搭載した貨物自動車２００の進行方向と一致する方向を、「後方」は「前方」の反対方向を、「左右方向」は車載用ハウス１００を搭載した貨物自動車２００の進行方向に対して左方向および右方向を指すものとする。
【００２０】
図１および図２は本発明である車載用ハウス１００の好ましい実施の形態を示す図であり、この車載用ハウス１００は、躯体１０およびジャッキ２０からなり、軽トラックなどの貨物自動車２００の平坦な荷台２１０に搭載して使用されるものである。
【００２１】
躯体１０は、アーチ状の複数の骨組３０と、骨組３０の外周に沿って木ネジ（図示せず）により取り付けられた板状の内壁４０と、内壁４０の外周に沿って木ネジ（図示せず）により取り付けられた板状の外壁５０と、骨組３０の下部に取り付けられた板状の床板６０と、床板６０を支持する根太６１と、後方の外壁５０に取り付けられて内側と外側を出入り可能とする扉７０とからなり、全体としてかまぼこ形を呈し、外壁５０のうち左方向の外壁５１および右方向の外壁５２にはそれぞれ開閉可能な窓７２が形成されている。
【００２２】
内壁４０の外周（外壁５０との間）には全面に防水紙４５が取り付けられており、躯体１０内側への雨漏りを防止しているとともに、内壁４０と外壁５０との二重構造の壁面を構成したことで断熱効果をより高めることができる。
【００２３】
躯体１０は、窓７２のガラス７３、内壁４０と外壁５０の間に取り付けられた防水紙４５、扉７０の錠７１ならびに内壁４０と外壁５０の取り付けに用いる木ネジその他の各金具を除き、全て木材により形成されている。
【００２４】
床板６０の下方には床板６０と直交方向に配置され床板６０と一体に取り付けられる根太６１が設けられており、骨組３０と床板６０および根太６１が共に固定されていることによって、躯体１０をかまぼこ型（アーチ構造）の強固な構造体とすることができる。
【００２５】
内壁４０は、コバ面に凹条４２を形成した上側部材４１およびコバ面に凸条４４を形成した下側部材４３からなり、凹条４２と凸条４４を嵌合させて上側部材４１と下側部材４３を組み合わせた構造である。
【００２６】
外壁５０のうち左方向の外壁５３および右方向の外壁５４にはそれぞれ、下方に係合凹部８１を開口した金属製のソケット８０が上下２段で２箇所（ソケット８０の設置数は合計８箇所）固定ネジ８２により固定されて設けられている。ソケット８０は、例えば旗蝶番の凹側部品を使用することができる。
【００２７】
また、外壁５０のうち左方向の外壁５３および右方向の外壁５４にはそれぞれ、フック９１およびフック９１に連結されたターンバックル９２からなる取り付け金具９０が２箇所設けられている。
【００２８】
躯体１０を貨物自動車２００に搭載する際は、躯体１０をジャッキ２０で荷台１０の高さよりもやや高く持ち上げた後、貨物自動車２００の荷台２１０が躯体１０の下に位置するまで貨物自動車２００を後退させ、ジャッキ２０を下げることにより貨物自動車２００の荷台２１０の所定位置に躯体１０を載せた後に、貨物自動車２００に予め設けた係止具２３０にターンバックル９２を取り付け、ターンバックル９２を回転させて締め付け、ゆるみの無いように係止して、躯体１０が貨物自動車２００から脱落することを防止している。
【００２９】
尚、符号１２は躯体１０の頂部１１に取り付けられた屋根、符号１５は例えばサーフボードなど長尺の物品を収納するために、貨物自動車２００の運転席２２０上方に位置し躯体１０における前方に突出して形成された収納空間である。
【００３０】
また、特に図示しないが躯体１０の内部には従来から一般的に採用されているような居住するために必要となる展開式のテーブルや椅子などの設備が設置されている。
【００３１】
図３は本発明の好ましい実施の形態における躯体１０の一部を省略した断面図であり、骨組３０は、少なくとも一方の端部３２において厚み方向に貫通孔３３が形成された平板状のインナー部材３１と、少なくとも一方の端部３５において厚み方向に貫通孔３６が形成された平板状のアウター部材３４と、ボルト３８およびナット３９を有する締結部材３７とからなる（図４参照）。
【００３２】
より詳細に説明すると、インナー部材３１はそれぞれ形状の異なるインナー部材３１ａ，３１ｂ，３１ｃ，３１ｄ，３１ｅとからなり、アウター部材３４はそれぞれ形状の異なるアウター部材３４ａ，３４ｂ，３４ｃ，３４ｄ，３４ｅとからなる。
【００３３】
１本のインナー部材３１の一方の端部３２を、２本の互いに同一の長さのアウター部材３４，３４で挟持し、挟持された１本のインナー部材３１および挟持した２本のアウター部材３４，３４にそれぞれ形成された貫通孔３３，３６，３６を連通させた状態で、ボルト３８を貫通孔３３，３６，３６の一方から挿通し、貫通孔３３，３６，３６の他方から突出したボルト３８をナット３９で螺締することによって締結した骨組ユニットを１単位として、所定の複数単位の骨組ユニットが長さ方向に連結される（図５参照）。
【００３４】
このとき、複数の骨組ユニットはそれぞれ所定の角度で前記締結部材３７の締結により連結することで骨組３０がアーチ状に構成されている。
【００３５】
尚、アウター部材３４，３４の端部３５，３５およびインナー部材３１の端部３２は所定の角度で斜めに角を落としているため、組み立てた際に各端部３２，３５，３５の外周をほぼ面一とすることができ、内壁４０を取り付ける際に不要な突起を生じる心配がないとともに、内壁４０が骨組３０と接触する面積が広く取れるため、取り付け作業が容易で且つ強固な固定が可能となる。
【００３６】
そして、前後方向に並べた複数のアーチ状の骨組３０の外周に沿って内壁４０を取り付け、内壁４０によって各骨組３０を連結したかまぼこ型（アーチ構造）としたことで、水平方向や垂直方向，ねじれ方向への荷重に対する強度を向上させた躯体１０とすることができる。
【００３７】
また、各骨組３０についても１本のインナー部材３１を２本のアウター部材３４，３４で挟持して締結した骨組ユニットを連結してアーチ状に曲げた構造としたことで、例えば１本のインナー部材と１本のアウター部材とからなる骨組ユニットを連結してアーチ状に曲げた構造の骨組と比較して、水平方向や垂直方向，ねじれ方向への荷重に対する強度を向上させることができる。
【００３８】
更に、骨組３０の外側に内壁４０を、内壁４０の外側に外壁５０を取り付けた二重構造の壁面を構成したことも、例えば外壁のみからなる一重構造の壁面と比較して、水平方向や垂直方向，ねじれ方向への荷重に対する強度を向上させることができる。
【００３９】
尚、骨組ユニットを１単位として複数単位の骨組ユニットにより構成したことから骨組３０は表裏で形状が異なるが、本実施の形態において躯体１０を構成する４つの骨組３０はその表裏を互い違いに並べて配置しているため、重量や強度のバランスを躯体１０の左右でほぼ均等にしている。
【００４０】
ジャッキ２０は、例えば手動操作により昇降が可能なジャッキ本体２１と、ジャッキ本体２１を躯体１０に取り付けるための係合部材２６とからなる。係合部材２６は、前記ジャッキ本体２１に脱着自在な固定金具２７と、ソケット８０に下方から挿入可能な係合凸部２８と、固定金具２７および係合凸部２８を取り付けた板状の係合部材本体２９とからなる（図６参照）。
【００４１】
本実施の形態におけるジャッキ本体２１は、地面に安定して設置可能な幅広の基台２２と、基台２２から一体に立設する外側ネジ溝を形成したシャフト２３と、シャフト２３に螺着可能な内側ネジ溝を形成したハンドル２４と、ハンドル２４の上面に接してシャフト２３に外嵌されたリフト部２５とからなり、ハンドル２４の回転操作によってリフト部２５を昇降させる一般的なスクリュージャッキであるが、従来周知の他の手動式のジャッキを用いてもよく、動力式のジャッキを用いてもよい。
【００４２】
係合凸部２８は、例えば旗蝶番の凸側部品を使用することができる。固定金具２７は、例えば単管クランプ（タルキ止めクランプ）を使用することができる。
【００４３】
貨物自動車２００の荷台２１０から躯体１０を降ろすにあたっては、車載用ハウス１００を設置する位置に躯体１０を搭載した貨物自動車２００を停めて、まず各取り付け金具９０の貨物自動車２００への接続を解除する。
【００４４】
次に、躯体１０の外壁５０に設けた各ソケット８０に係合部材２６の係合凸部２８を挿入した後に、係合部材２６の固定金具２７にジャッキ本体２１のリフト部２５を装着して、躯体１０とジャッキ２０を接続する（図７（ａ）（ｂ）参照）。
【００４５】
続いて、ジャッキ２０のハンドル２４を操作してリフト部２５を上昇させて、リフト部２５と連動する躯体１０が貨物自動車２００の荷台２１０から上昇し、貨物自動車２００の荷台２１０から躯体１０が離れたら、貨物自動車２００を前方へ移動させる（図８参照）。
【００４６】
最後に、予め用意した所定の高さの安定した土台（図示せず）を躯体１０の下方に設置し、ジャッキ２０のハンドル２４を操作してリフト部２５を下降させ、前記土台へと躯体１０を降ろすことで、車載用ハウス１００が不要な時の車庫などへの保管や、小屋や仮設住宅として使用したい所望の場所への車載用ハウス１００の設置が容易に行える。
【００４７】
躯体１０を前記土台へ載置した後は、係合部材２６の固定金具２７からジャッキ本体２１のリフト部２５を外し、次いでソケット８０の係合凹部８１へ挿入していた係合凸部２８を抜くことで、躯体１０の外側から躯体１０とジャッキ２０との接続を容易に解除できる。
【００４８】
一方、躯体１０を貨物自動車２００の荷台２１０へ取り付ける場合には、上記した手順と逆の手順で作業を行うものであるが、躯体１０を載置する所定の高さの前記土台を用いていることで、ジャッキ２０を操作して躯体１０を上昇させる際、地面の高さから持ち上げるよりも前記土台の高さ分だけ持ち上げる労力を減らすことができる。
【００４９】
尚、土台を使用せずに車載用ハウス１００を地面に置くものとしてもよい。
【００５０】
本発明によれば、骨組３０を平板状のインナー部材３１およびアウター部材３４を締結部材３７により組み立ててなるアーチ状の構造としたことで、骨組の本数や設置位置，湾曲の角度，インナー部材・アウター部材の長さ，あるいは骨組ユニットの数を調整するだけで搭載する貨物自動車２００の荷台２１０のサイズや希望する高さに応じて丁度よい寸法に躯体１０の大きさを調整することができる。
【００５１】
また、予め躯体１０の外壁５０に複数設けたソケット８０により、ジャッキ２０の着脱を、躯体１０の内側に入ってナット締めするなどの作業を要さず躯体１０の外側からだけの作業によって確実かつ容易としたことで、簡易な構造で貨物自動車２００の荷台２１０への車載用ハウス１００の積み降ろしを可能としており、頻繁な車載用ハウス１００の積み降ろしが必要である場合の手間を削減でき、１台の貨物自動車２００で多数の車載用ハウス１００を運搬し公共の広場などに仮設住宅として設置することも容易としたものである。
【００５２】
更に、本発明の車載用ハウス１００の躯体１０は全面が木材により構成されていることから、木材の持つ自然の調湿効果や断熱効果を存分に発揮し、例えば軽合金や樹脂材などから形成された車載用ハウスと比較して居住性が格段に向上しているとともに、仮に外壁５０の一部が破損したとしても、交換用の板材を張り替えることによって容易に補修が可能となるため、メンテナンス性も高い。
【００５３】
特に、躯体１０の形状を上部が窄まったかまぼこ型（アーチ構造）としたことで、従来の函型直方体の躯体と比較して省サイズであるとともに木材は軽量で安価であるため経済的であり、また木材の有効利用ともなっている。
【００５４】
本発明において、躯体１０の形状を上部が窄まったかまぼこ型（アーチ構造）としたことは、軽量であっても強度上の利点があるのみならず、骨組の本数，角度，前後の位置および骨組ユニットの数を調整するだけで搭載する貨物自動車２００の荷台２１０のサイズに応じて丁度よい寸法に躯体１０の大きさを調整することができるとともに、内壁及び外壁が骨組の外側にある構成としたことで、十分な内部空間を確保することができる設計上の利点がある。
【００５５】
更に、躯体１０の形状を上部が窄まったかまぼこ型（アーチ構造）としたことは、高速走行時の横風による転倒リスクや、山間部などにおいて木々が密集するような地形における高所の障害物に当たるリスクを軽減して、安全な交通を可能とする使用上の利点もある。
【００５６】
更にまた、躯体１０の前方１３を斜めに切り欠いたような形状にしたことで、高速走行時の空気抵抗を減少させて快適な走行を可能とし、躯体１０の後方１４における外壁５０を扉７０よりも後方へ延出させた軒の様な形状にしたことで、躯体１０への出入りの際に上方や左右からの雨風の影響を減少させて快適な乗降を可能としている。
【符号の説明】
【００５７】
１０  躯体、１１  頂部、１２  屋根、１３  前方、１４  後方、１５  収納空間、２０  ジャッキ、２１  ジャッキ本体、２２  基台、２３  シャフト、２４  ハンドル、２５  リフト部、２６  係合部材、２７  固定金具、２８  係合凸部、２９  係合部材本体、３０  骨組、３１  インナー部材、３２  端部、３３  貫通孔、３４  アウター部材、３５  端部、３６  貫通孔、３７  締結部材、３８  ボルト、３９  ナット、４０  内壁、４１  上側部材、４２  凹条、４３  下側部材、４４  凸条、４５  防水紙、５０，５１，５２，５３，５４  外壁、６０  床板、６１  根太、７０  扉、７１  錠、７２  窓、７３  ガラス、８０  ソケット、８１  係合凹部、８２  固定ネジ、９０  取り付け金具、９１  フック、９２  ターンバックル、１００  車載用ハウス、２００  貨物自動車、２１０  荷台、２２０  運転席、２３０  係止具
【図１】
2019182172.tif 000003
【図２】
2019182172.tif 000004
【図３】
2019182172.tif 000005
【図４】
2019182172.tif 000006
【図５】
2019182172.tif 000007
【図６】
2019182172.tif 000008
【図７】
2019182172.tif 000009
【図８】
2019182172.tif 000010